(57)【特許請求の範囲】
【請求項１】
容器が挿入される収納部を備えたホルダ本体と、該ホルダ本体に回動可能に取り付けられ小径容器の外周形状に沿う円弧状の小径保持面を有する小径支持部材と、該小径支持部材を上方へ回動付勢する付勢部材と、該ホルダ本体に取り付けられ該小径容器の径より大きな径の中径容器の外周形状に沿う中径保持面を有する中径支持部材と、を備え、
該収納部の内壁面と該小径保持面とで該小径容器を保持し、該中径容器を保持する場合は該中径容器を該収納部へ挿入する動作に伴って該中径容器の表面で該小径支持部材を押圧して下方へ回動させ該収納部の内壁面と該中径保持面とで該中径容器の上部を保持するとともに該収納部の内壁面と該小径支持部材とで該中径容器の下部を保持するカップホルダであって、
該中径容器は下部に周方向に延びるリング状の溝部を有するとともに該溝部の上下両側に膨らみ部を有し、
該小径支持部材の両端の先端どうしの間隔は該膨らみ部の頂部の最大直径未満かつ該最大直径の40％以上であり、
該中径容器を該収納部から抜く際には、該小径支持部材は両端が該溝部に当接するとともに該膨らみ部を乗り越え、その際に該小径支持部材は該中径容器表面と点接触又は線接触することを特徴とするカップホルダ。
【請求項２】
前記小径支持部材の両端の先端どうしの間隔は前記膨らみ部の頂部の最大直径の50％以上である請求項１に記載のカップホルダ。
【請求項３】
前記中径支持部材は、前記小径支持部材の回動軸と同じ軸を中心として回動可能に前記ホルダ本体に取り付けられ、前記中径支持部材を上方へ回動付勢する付勢部材を備え、前記中径容器の径より大きな径の大径容器の挿入時には前記収納部の内壁面と回動付勢された前記中径支持部材とで該大径容器を保持する請求項１に記載のカップホルダ。
【発明の詳細な説明】
【技術分野】
【０００１】
本発明は、自動車室内などに設けられるカップホルダに関し、詳しくは径の異なる容器をそれぞれ安定して保持できるカップホルダに関する。
【背景技術】
【０００２】
自動車内で飲料容器を安定して保持するために、カップホルダが広く用いられている。しかし飲料容器は大きさが様々であり、それらを安定して保持するために各種の工夫がなされている。
【０００３】
例えば特開平11−348641号公報には、収納部内に突出する方向に回動付勢された第１、第２サポート部材を備えたカップホルダが提案されている。このカップホルダによれば、小径の容器の場合は第２サポート部材で保持し、中径の容器の場合は上部を第１サポート部材で保持するとともに下部を第２サポート部材で保持し、大径の容器の場合は上部を下部を第１、第２サポート部材で保持するので、小径、中径、大径の各容器をそれぞれ安定して保持することができる。
【０００４】
上記公報に記載のカップホルダによれば、例えば 500mlペットボトルのような中径容器を保持する場合には、収納部に中径容器を挿入すると中径容器が第２サポート部材を押圧することで第２サポート部材が下方へ回動する。これにより中径容器は、収納部の内壁面と第１サポート部材とで上部が保持され、収納部の内壁面と上方へ回動付勢されている第２サポート部材とで下部が保持される。
【０００５】
ところが中径容器には種々の形状のものがあり、中央部と底部の間に周方向に延びる溝部が形成されているものがある。このような中径容器を上記のように保持した場合には、第２サポート部材が溝部内に入り込み、中径容器が抜けにくくなることがあった。
【０００６】
これと類似の問題を解決するために、特開2003−063296号公報には、フレーム部の挿入孔に突出するように回動付勢された中心側保持部材と外周側保持部材を備え、外周側保持部材は溝部より下方の膨らみ部の通過を許容するとともに、中心側保持部材は回動状態で先端部が膨らみ部の頂部より下方に当接するように構成したことが記載されている。このように構成したことで、中心側保持部材が溝部に入り込むのを回避でき、抜けにくくなるのを防止することができる。
【０００７】
ところが中径容器には、底部に近い部位に周方向に延びる比較的深い溝部を有するものもあり、このような中径容器の場合には、中心側保持部材を回動状態で先端部が膨らみ部の頂部より下方に当接するように構成することが困難である。したがって中心側保持部材が溝部に入り込み、抜けにくくなる場合があることが避けられない。
【特許文献１】特開平11−348641号
【特許文献２】特開2003−063296号
【発明の開示】
【発明が解決しようとする課題】
【０００８】
本発明は、上記事情に鑑みてなされたものであり、径の異なる容器をそれぞれ安定して保持できるカップホルダにおいて、底部に近い部位に周方向に延びる比較的深い溝部を有する容器を保持した場合に、容器が抜けにくくなるのを防止することを解決すべき課題とする。
【課題を解決するための手段】
【０００９】
上記課題を解決する本発明のカップホルダの特徴は、容器が挿入される収納部を備えたホルダ本体と、ホルダ本体に回動可能に取り付けられ小径容器の外周形状に沿う円弧状の小径保持面を有する小径支持部材と、小径支持部材を上方へ回動付勢する付勢部材と、ホルダ本体に取り付けられ小径容器の径より大きな径の中径容器の外周形状に沿う中径保持面を有する中径支持部材と、を備え、
収納部の内壁面と小径保持面とで小径容器を保持し、中径容器を保持する場合は中径容器を収納部へ挿入する動作に伴って中径容器の表面で小径支持部材を押圧して下方へ回動させ収納部の内壁面と中径保持面とで中径容器の上部を保持するとともに収納部の内壁面と小径支持部材とで中径容器の下部を保持するカップホルダであって、
中径容器は下部に周方向に延びるリング状の溝部を有するとともに溝部の上下両側に膨らみ部を有し、
小径支持部材の両端の先端どうしの間隔は膨らみ部の頂部の最大直径未満かつ最大直径の40％以上であり、
中径容器を収納部から抜く際には、小径支持部材は両端が溝部に当接するとともに膨らみ部を乗り越え、その際に小径支持部材は中径容器表面と点接触又は線接触することにある。
【００１０】
小径支持部材の両端の先端どうしの間隔は、中径容器の膨らみ部の頂部の最大直径の50％以上であることがさらに望ましい。
【００１２】
中径支持部材は、小径支持部材の回動軸と同じ軸を中心として回動可能にホルダ本体に取り付けられ、中径支持部材を上方へ回動付勢する付勢部材を備え、中径容器の径より大きな径の大径容器の挿入時には収納部の内壁面と回動付勢された中径支持部材とで大径容器を保持することが望ましい。
【発明の効果】
【００１３】
本発明のカップホルダによれば、 500mlペットボトルなどの中径容器を収納部に挿入すると、小径支持部材が中径容器の表面と干渉し、付勢部材の付勢力に抗して小径支持部材が下方へ回動する。このとき中径容器の両端が中径容器表面と接触するが、小径支持部材の両端の先端どうしの間隔は、溝部の上下両側の膨らみ部の頂部の最大直径未満かつ最大直径の40％以上である。
【００１４】
図１には、４種の小径支持部材Ａ−Ｄが溝部に入り込んだ状態を示している。その状態では、各小径支持部材の両端の先端が溝部底部と当接している。なお図１では、各小径支持部材の小径保持面を溝部の底面に沿う円弧形状としている。小径支持部材Ａ−Ｄがこの状態から溝部から抜けるためには、膨らみ部を乗り越える必要がある。そこで膨らみ部と小径支持部材Ａ−Ｄとの干渉程度を見ると、図１に示されるように、小径支持部材の両端の先端どうしの間隔（例えば小径支持部材ＣではＷ）が大きくなるほど干渉しろ（例えば小径支持部材ＣではＬ）が長くなっている。
【００１５】
すなわち干渉しろ（Ｌ）の長さはＡ＜Ｂ＜Ｃ＜Ｄとなる。また小径支持部材の先端が中径容器表面と接触する軌跡は、膨らみ部に対して斜め方向となり、小径支持部材の先端は膨らみ部の下部から頂部まで斜め方向に滑るように移動する。したがって坂道をまっすぐ登るよりジグザグに登る方が勾配が緩く楽であるのと同様に、干渉しろ（Ｌ）が長いほど膨らみ部の高さを乗り越えやすくなり、小径支持部材が溝部から外れやすくなる。そこで本発明では、小径支持部材の両端の先端どうしの間隔（Ｗ）を溝部の上下両側の膨らみ部の頂部の最大直径未満かつその最大直径の40％以上としているので、小径支持部材が溝部から外れやすくなり中径容器が抜けにくくなるのを防止することができる。
【００１６】
そして本発明のカップホルダによれば、径の異なる小径容器と中径容器をそれぞれ安定して保持することができる。また中径支持部材は、小径支持部材の回動軸と同じ軸を中心として回動可能にホルダ本体に取り付けられ、中径支持部材を収納部内に突出する方向へ回動付勢する付勢部材を備え、中径容器の径より大きな径の大径容器の挿入時には収納部の内壁面と回動付勢された中径支持部材とで大径容器を保持する構成とすれば、さらに大径容器も安定して保持することができる。
【発明を実施するための最良の形態】
【００１７】
本発明のカップホルダは、ホルダ本体と、小径支持部材と、小径支持部材を回動付勢する付勢部材と、中径支持部材と、から構成されている。ホルダ本体は、箱状のもの、フレームと底板とからなるもの、などを用いることができる。
【００１８】
小径支持部材は、小径容器の外周形状に沿う円弧状の小径保持面を有し、ホルダ本体に回動可能に取り付けられている。この小径支持部材は、コイルバネ、板バネなどの付勢部材によって収納部内に突出する方向へ回動付勢されている。したがって小径容器を保持する場合は、収納部の内壁面と小径保持面とで小径容器を保持することができる。
【００１９】
そして本発明のカップホルダでは、この小径支持部材の両端の先端どうしの間隔を、中径容器の溝部の上下両側の膨らみ部の頂部の最大直径未満かつ最大直径の40％以上としたところに最大の特色を備えている。
【００２０】
小径容器の外周形状に沿う円弧状の小径保持面が小径支持部材の両端を結んでいるので、小径支持部材の両端の先端どうしの間隔が小径容器より径の大きな中径容器の径を超えることはあり得ない。したがって小径支持部材の両端の先端どうしの間隔は、中径容器の溝部の上下両側の膨らみ部の頂部の最大直径未満である。そして小径支持部材の両端の先端どうしの間隔が膨らみ部の頂部の最大直径の40％未満であると、小径支持部材が膨らみ部を乗り越えにくくなるため中径容器の溝部から外れにくくなり中径容器が抜けにくくなる。小径支持部材の両端の先端どうしの間隔は、中径容器の膨らみ部の頂部の最大直径の50％以上であることがさらに望ましい。
【００２１】
小径支持部材の中径容器表面と接触する両端は、先端を円弧形状とするなど、中径容器表面と点接触又は線接触する形状とされていることが望ましい。これにより小径支持部材の両端と中径容器の表面との摺動抵抗が小さくなり、中径容器が抜けにくくなるのをさらに防止することができる。
【００２２】
中径支持部材は、中径容器の外周形状に沿う中径保持面を有している。中径容器の挿入によって小径支持部材が回動し、収納部の内壁面と中径保持面とで中径容器の上部を保持するとともに収納部の内壁面と小径支持部材とで中径容器の下部を保持することができる。
【００２３】
この中径支持部材はホルダ本体に固定されていてもよいが、小径支持部材の回動軸と同じ軸を中心として回動可能にホルダ本体に取り付けられ、さらに中径支持部材を収納部内に突出する方向へ回動付勢する付勢部材を備えていることが望ましい。このように構成することにより中径支持部材が下方へ回動して中径容器の径より大きな径の大径容器を挿入することができ、大径容器の挿入時には、収納部の内壁面と回動付勢された小径支持部材及び中径支持部材とで大径容器を保持することができる。
【実施例】
【００２４】
以下、実施例及び従来例により本発明を具体的に説明する。
【００２５】
（実施例）
図２に本実施例のカップホルダの斜視図を、図３にその分解斜視図を示す。このカップホルダは、自動車のコンソールボックスに保持されて用いられる。
【００２６】
このカップホルダは、二つの収納部10を有する箱状のホルダ本体１と、ホルダ本体１に保持されたサポートホルダ２と、サポートホルダ２に回動可能に保持された左右一対の小径サポート３及び左右一対の中径サポート４とから構成されている。ホルダ本体１は、容器が挿入される一対の収納部10を備え、中央に一対のリブ11が形成されている。収納部10は、直径が大きな大径容器も収納可能であり、その両側壁の内壁面は大径容器の底径であるφ71mm以上の円柱表面となっている。
【００２７】
サポートホルダ２は一対の側部20と、側部20どうしを連結する橋部21とからなる。一対の側部20の背面にはそれぞれリブ11と係合可能な係合溝22が形成されている。また一対の側部20の互いに対向する表面には、左右一対の突起23が互いに一直線上に対向して形成されている。
【００２８】
小径サポート３は、頭部30と、頭部30の両端から延びる一対の脚部31とからなる略コ字形状に形成され、頭部30の表面にφ64mmの円弧状の小径保持面32を備えている。小径保持面32の両端どうしの間隔（図１のＷ）は34mmであり、両端の先端は厚さが薄い円弧状に形成されている。また一方の脚部31からは凸部33が他方の脚部31に向かって突出し、他方の脚部31からは規制板34が一方の脚部31に向かって突出形成されている。両方の脚部31の外側表面には、サポートホルダ２の突起23と係合可能な枢支孔35が形成されている。さらに頭部30の背面には、リブ36が形成されている。
【００２９】
中径サポート４は、小径サポート３の一対の脚部31内に収納可能な大きさに形成され、一端面に円弧状の中径保持面40を備えている。この中径保持面40は、φ67.5mmより僅かに大きな円弧状に形成されている。また中径サポート４の裏面側には、規制板34が出入可能な凹部41が形成され、凹部41と反対側の側面には凸部33と係合可能な図示しない係合孔が形成されている。さらに中径保持面40には、リブ35と係合可能な溝42が形成されている。
【００３０】
このカップホルダを組み立てるには、先ず小径サポート３の凸部33を中径サポート４の図示しない係合孔に挿通し、規制板34を凹部41と係合させるとともに、リブ35を溝42と係合させて、小径サポート３と中径サポート４を組み立てる。この状態では、中径サポート４は小径サポート３に上方のみへの回動自在に保持されている。
【００３１】
次にスプリング５を介在させながら、小径サポート３の枢支孔35にサポートホルダ２の突起23を挿通し、小径サポート３を回動可能にサポートホルダ２に保持する。スプリング５は、小径サポート３及び中径サポート４をそれぞれ先端が上方へ回動する方向へ付勢している。なお中径サポート４は図示しない係止手段によって水平状態より上方への回動が規制され、規制板34が中径サポート４に当接することで小径サポート３の水平状態より上方への回動が規制されている。
【００３２】
このとき、小径サポート３は先端が下方へ独立して回動可能である。一方中径サポート４は、規制板34によって、及びリブ36の溝42の端部への当接によって、小径サポート３を超えて下方へ回動するのが規制されている。すなわち、小径サポート３は独立して回動可能であるとともに、中径サポート４の回動に伴っても回動する。
【００３３】
このように組み立てられた本実施例のカップホルダでは、フリー状態において小径サポート３の小径保持面32と収納部10の内壁面との間に、φ64mmより僅かに大きな直径の容器を収納可能な空間が形成されている。
【００３４】
（従来例）
小径サポート３の小径保持面32の両端どうしの間隔（図１のＷ）を32mmとしたこと以外は、実施例と同様の構成のものを従来例のカップホルダとした。
【００３５】
（評価）
以下、本実施例又は従来例のカップホルダを用いて、各種大きさの容器を保持する場合について説明する。
【００３６】
先ず最大外径がφ64mmのペットボトル（小径容器）の場合は、図４に示すように、収納部10に抵抗なく挿入でき、その側面は小径サポート３の小径保持面32と収納部10の内壁面とで支持される。ペットボトルの抜き取りも全く支障が無い。
【００３７】
また底径がφ71mmであり上径がφ96mmの紙コップ（大径容器）の場合は、図５に示すように、挿入時に小径サポート３と中径サポート４が押圧されて共に下方へ回動する。挿入後は、スプリング５の付勢力によって小径サポート３及び中径サポート４が紙コップに押圧され、紙コップは小径サポート３及び中径サポート４と収納部10の内壁面とで支持される。紙コップの表面には凹凸が無いので、抜き取りの際には小径サポート３及び中径サポート４が紙コップの表面を滑り、容易に抜き取ることができる。
【００３８】
次に図６に示すように、最大外径がφ67.5mmであり、下方にφ64mmの底径のリング状の凹溝60を有し、その下部に山部61を有するペットボトル６（中径容器）を挿入する場合は、挿入時に先ず小径サポート３が押圧されて下方へ回動し、小径サポート３の小径保持面32がペットボトル６の表面を滑りながら挿入される。挿入後は、スプリング５の付勢力によって小径サポート３がペットボトル６に押圧され、ペットボトル６は下部が小径サポート３と収納部10の内壁面とで支持される。またその上部では、中径サポート４の中径保持面40と収納部10の内壁面とで支持される。
【００３９】
ペットボトル６を収納部10から抜き取る場合には、小径サポート３の先端が先ず凹溝60と係合し、その後凹溝60の下方にある山部61を乗り越える必要がある。ところが従来のカップホルダでは、この時に小径サポート３の先端が山部61を乗り越えにくく、ペットボトル６が抜けにくいという不具合があった。
【００４０】
しかし本実施例では、小径サポート３の小径保持面32の両端の間隔、すなわち小径サポート３の両端の先端どうしの間隔は34mmであり、ペットボトル６の最大直径であるφ67.5mm未満であるとともに、最大直径の40％以上の50.4％である。したがって従来例に比べて干渉しろ（図１のＬ）が長く、小径サポート３の先端の軌跡は山部61に対してさらに勾配の緩やかな斜め方向となる。また小径保持面32の両端の先端が円弧形状であるので、ペットボトル６の表面と点接触し摺動抵抗が小さい。これらの作用により、小径サポート３が山部61を乗り越えやすくペットボトル６が抜け易い。
【００４１】
なお上記実施例では箱状のホルダ本体の場合について説明したが、特許文献２に記載のフレーム部と受け部とからなるホルダ本体などの場合についても本発明を適用できることは言うまでもない。
【図面の簡単な説明】
【００４２】
【図１】本発明の作用を説明する説明図である。
【図２】本発明の一実施例のカップホルダを示す斜視図である。
【図３】本発明の一実施例のカップホルダの分解斜視図である。
【図４】本発明の一実施例のカップホルダに小径容器を挿入した状態を示す要部断面図である。
【図５】本発明の一実施例のカップホルダに大径容器を挿入した状態を示す要部断面図である。
【図６】本発明の一実施例のカップホルダに中径容器を挿入した状態を示す要部断面図である。
【符号の説明】
【００４３】
１：ホルダ本体            ２：サポートホルダ            ３：小径サポート
４：中径サポート          ５：スプリング                ６：ペットボトル
10：収納部                32：小径保持面                40：中径保持面
【図１】
0004640061.tif 000002
【図２】
0004640061.tif 000003
【図３】
0004640061.tif 000004
【図４】
0004640061.tif 000005
【図５】
0004640061.tif 000006
【図６】
0004640061.tif 000007